(57)【要約】少なくとも一つのコーク・ドラム（１４）を備え、改良された半連続式コーキング・ユニットであって、前記コーク・ドラムが、実質的に閉鎖された内部と、開口（３６）を有する頂部（３４）と、前記開口に取外し可能に連結された天井蒸気出口ノズル（３８）と、固体および重炭化水素液体を、前記コーク・ドラムの前記内部から前記開口を通って流出しないように偏向させるデフレクタ（４０）とを備えるコーキング・ユニット。
2004503658.tif 000002
【特許請求の範囲】
【請求項１】
半連続式コーキング・ユニット用のコーク・ドラムであって、
該コーク・ドラムは、
実質的に閉鎖された内部と、
該内部を貫通する開口を有する前記ドラムの頂部と、
前記開口に連結された天井蒸気出口ノズルと、
固体および重炭化水素液体を、前記開口を通って前記コーク・ドラムの前記内部から出さないように偏向させるデフレクタとを備えることを特徴とするコーク・ドラム。
【請求項２】
前記デフレクタは、前記開口の下方で取外し可能に連結されていることを特徴とする請求項１記載のコーク・ドラム。
【請求項３】
前記デフレクタは、前記天井蒸気出口ノズルに取外し可能に連結されていることを特徴とする請求項２記載のコーク・ドラム。
【請求項４】
前記デフレクタは、前記開口を通過して嵌合するサイズにされていることを特徴とする請求項３記載のコーク・ドラム。
【請求項５】
前記デフレクタは、平面状の金属プレートであることを特徴とする請求項１記載のコーク・ドラム。
【請求項６】
前記デフレクタは、前記コーク・ドラムの前記開口と心合わせされ、かつ前記コーク・ドラムの前記開口に向かう頂端を有する円錐を形成することを特徴とする請求項１記載のコーク・ドラム。
【請求項７】
前記デフレクタは、前記コーク・ドラム内の前記開口から少なくとも１フィート（３０．５ｃｍ）の位置に配置されることを特徴とする請求項１記載のコーク・ドラム。
【請求項８】
前記デフレクタは、前記コーク・ドラム内の前記開口から１０フィート（３．０５ｍ）離れた位置までに配置されることを特徴とする請求項１記載のコーク・ドラム。
【請求項９】
開口を有する頂部と、前記開口に連結された天井蒸気出口ノズルと、固体および重炭化水素液体を、前記開口を通って前記コーク・ドラムの前記内部から出さないように偏向させる手段とを有するコーク・ドラムからの固体および重炭化水素液体の逃げを低減させる方法であって、
該方法は、
炭化水素原料を前記コーク・ドラムに導入するステップと、
前記開口を通して前記コーク・ドラムの通気を行うステップと、
前記固体および重炭化水素液体を前記開口から逸らせることによって、前記コーク・ドラムから出る前記固体および重炭化水素液体の量を低減させるステップとを備えることを特徴とする方法。
【請求項１０】
前記偏向させる手段は、前記開口の下方で取外し可能に配置されていることを特徴とする請求項９記載の方法。
【請求項１１】
前記偏向させる手段は、前記天井蒸気出口ノズルに取外し可能に配置されていることを特徴とする請求項１０記載の方法。
【請求項１２】
前記偏向させる手段は、平坦な平面状のプレートを含むことを特徴とする請求項９記載の方法。
【請求項１３】
前記偏向させる手段は、前記開口に心合わせされた円錐を含むことを特徴とする請求項９記載の方法。
【請求項１４】
開口を有する頂部と、前記開口に連結された天井蒸気出口ノズルとを有するコーク・ドラムからの固体および重炭化水素液体の逃げを低減させる方法であって、
該方法は、
炭化水素原料を前記コーク・ドラムに導入し、
前記開口を通して前記コーク・ドラムの通気を行い、
該コーク・ドラムからの前記固体および炭化水素液体の逃げを阻止するべく、該固体および液体炭化水素を前記ドラム内のデフレクタ・プレートに当てることを特徴とする方法。
【請求項１５】
前記デフレクタ・プレートは、平坦な平面状の金属プレートであることを特徴とする請求項１４記載の固体および重炭化水素液体の逃げを低減させる方法。
【発明の詳細な説明】
【０００１】
（技術分野）
１．発明の分野
本発明は、半連続式コーキング（ｄｅｌａｙｅｄ ｃｏｋｉｎｇ）に関する。特に、本発明は、コーク・ドラムの頂部の内側にて、天井蒸気出口ノズルの下方に配置されており、前記コーク・ドラムの出口ノズルを通って逃げ、精留塔に戻る固体および重炭化水素液体の量を少なくするデフレクタに関する。
【０００２】
（背景技術）
２．従来技術の説明
石油精製作業における様々な重炭化水素材料のコーキング用の半連続式コーキング・ドラムの動作時には、重炭化水素が熱分解され、気体と、液体および固体のコークとが生成される。一般に、原料が精留塔に導入され、該精留塔の残液は、除去され、加熱炉内で加熱され、さらに熱分解される。結果として得られた固体のコークは、コーク・ドラムの内壁上に徐々に堆積される。典型的な半連続式コーク・ユニットでは、一方のドラム内にコーカー原料を汲み入れ、同時に他方のドラム内からコーカーを空にして次の充填サイクルに備えることによって、一対のコーク・ドラム内にて、コーカー原料を充填することと、空にすることとが交互に行われる。
【０００３】
このプロセスに伴う蒸気は、天井蒸気出口ノズルによってコーク・ドラムの頂部から排出される。充填中のドラムからの天井蒸気は、精留塔に戻り、そこで生成物流（ｐｒｏｄｕｃｔ ｓｔｒｅａｍｓ）に分離され、不要な固体および液体は精留塔の底部に残る。蒸気のみが天井蒸気出口ノズルから取り出されることが理想的である。これは、コーク・ドラムから精留塔に入る不要な固体および液体が増加するほど半連続式コーキング・プロセスの効率が低下するからである。過去には、精留塔が定期的に停止され、このような不要な固体材料および液体材料が除去されるか、または精留塔での連続的な除去作業が行われていた。
【０００４】
コーク・ドラムの充填時において、コーク・ドラムへの原料の量が最大になり、コーク・ドラム内のコークの高さが高くなるにつれて、固体コーク、液体および泡が、天井蒸気出口ノズルを通してコーク・ドラムの頂部から吹き出ることが一般的であり、かつこれが望ましくないことはわかっている。蒸気がコーク・ドラムからより高速で離れると、該蒸気は、天井蒸気出口ノズルから逃げて精留塔に戻る固体および重炭化水素液体とともに、より伴出するようになることもわかっている。
【０００５】
さらに、半連続式コーキング・システムの構成およびその他のパラメータに応じて、前記コーク・ドラムの一方若しくは双方のドラムは、大気圧よりも高い圧力のもとで作動し、それによって液体および固体が前記蒸気ノズルから吹き出ることがある。
【０００６】
（発明の概要）
従来技術で現存する既知の半連続式コーキング・ユニットに固有の前述の欠点に鑑みて、本発明は、既知の半連続式コーキング・ユニットを確実に利用できる新規の改良された構成を提供する。したがって、以下に詳しく説明する本発明の全般的な目的は、従来技術のすべての利点を有すると共に、従来技術の欠点をまったく有さない新規の改良された半連続式コーキング・ドラムを提供することである。
【０００７】
この目的を実現するために、本発明はコーク・ドラムの内部の頂上にデフレクタを設ける。このデフレクタは、天井蒸気ノズルの方へ向かう固体および液体が前記ドラム内に戻される一方、蒸気はコーク・ドラムから流出できるように、天井蒸気ノズルの出口の下方にて、該出口から間隔を置いて配置される。
【０００８】
本発明の少なくとも一つの実施態様について詳しく説明する前に、本発明が、以下の説明に記載されるか、または図面に示された構成の細部および各構成要素の配置への適用に制限されないことを理解されたい。本発明は、他の実施態様を様々な方法で実施・実行することが可能である。また、本明細書で使用される表現および用語が説明のためのものであり、制限とみなすべきものではないことを理解されたい。したがって、当業者には、本開示の基礎となる概念を、本発明のいくつかの目的を実施する他の構造、方法、およびシステムを設計するための基礎として容易に利用できることが理解されよう。したがって、特許請求の範囲は、本発明の趣旨および範囲から逸脱しない限り、このような同等な構成を含むものとみなされることが重要である。
【０００９】
したがって、本発明の目的は、従来技術の利点のいくつかをもたらし、同時に、従来技術に通常伴う欠点のいくつかを解決する新規の改良された半連続式コーキング・ユニットを提供することである。
【００１０】
本発明の他の目的は、コーク・ドラムから逃げて精留塔に戻る固体および重炭化水素液滴の量を低減させる新規の改良された半連続式コーキング・ユニットを提供することである。
【００１１】
本発明の他の目的は、既存の半連続式コーキング・ユニットに適合できるデフレクタの改良を提供することである。
【００１２】
本発明の他の目的は、新規の改良された半連続式コーキング・ユニットであり、より効率的で、かつ耐久性があって信頼性のある構成を有する半連続式コーキング・ユニットを提供することである。
【００１３】
本発明の他の目的は、コーク、液体、および泡をコーク・ドラムの頂部から吹き出させることなく、コーク・ドラムへの受け入れを最大にする新規の改良された半連続式コーキング・ユニットを提供することである。
【００１４】
本発明のこれらおよびその他の目的は、本発明を特徴付ける新規の様々な特徴と共に、特にこの開示に添付され、この開示の一部を形成する特許請求の範囲で指摘される。本発明、その動作上の利点、およびそれを使用することによって実現される特定の目的をより理解するには、本発明の好ましい実施態様に示された添付の図面および説明を参照すべきである。
【００１５】
（実施例）
図１は、配管１０からのコーカー原料が加熱炉１２に送られ、そこで加熱される典型的なコーカー・ユニットを示している。図１の構成は一対のコーク・ドラムを利用している。ただし、本発明が単一のドラムにも、または複数のドラムにも適用できることが理解されよう。コーク・ドラム１４およびコーク・ドラム１６は、充填することと空にすることとが交互に行われる。ドラムに固体コークが充填されると、少なくとも底部から（しばしば頂部からも）コークが除去される。
【００１６】
充填中のコーク・ドラムからの天井蒸気は、配管１８を介してコーカー精留塔２０に戻される。コーカー・ガス・オイルやコーカー原料などの再利用液体は、配管２２を介して精留塔２０に送られる。湿性ガスの天井流は、配管２４を介して精留塔２０から除去され、中間の液体留分は、配管２６および配管２８を介して除去される。不要な固体および重炭化水素液体３０は、配管３２を介して精留塔２０の底部から除去され、前記加熱炉に送られる。コーキング・プロセスの様々な他の改変は、本発明の範囲内で行うことができる。
【００１７】
図面を詳しく参照し、特に図２を参照するとわかるように、コーク・ドラム１４は、実質的に円筒状の中央部分と、コーク・ドラム１４の内部へのアクセスを可能にする開口３６を備えた頂部３４とを含む。天井蒸気出口ノズル３８は、開口３６に取外し可能に設置され、出口配管１８（図２には示されていない）を介して精留塔２０に至ることが好ましい。様々な寸法を使用できるが、一実施形態としては、前記出口ノズルの直径は約２４インチから３０インチ（６１ｃｍから７６ｃｍ）の範囲が好ましい。
【００１８】
図２は、図を明確にするために部分的に切り欠かれている。本発明には、コーク・ドラム１４の開口３６の概ね下方に位置し、該開口３６から間隔を置いて配置され、天井蒸気出口ノズル３８から懸垂されたデフレクタ４０が付加されている。デフレクタ４０は、一般に、取り付け機構４２によって天井蒸気出口ノズル３８に取外し可能に設置されている。一実施形態としては、デフレクタ４０は、天井蒸気ノズル３８から、１フィートないし１０フィート下方に懸垂されることが好ましい。取付け手段の例としては、ブラケット、ボルト、ワイヤ、フック、ねじなどがある。したがって、前記蒸気出口ノズルの本体構造部分が分解された後には、前記デフレクタを引き出すことができる。
【００１９】
一実施形態としては、デフレクタ４０は、開口３６を全体的に覆う一方で、天井蒸気出口ノズル３８がコーク・ドラム１４から取り外されるときに開口３６を通過するのに十分な直径を有する金属またはその他の適切な材料で作られた円形プレートであることが好ましい。したがって、前記プレートの直径は、前記開口の前記直径よりもわずかに小さくされている。
【００２０】
デフレクタ４０の他の好ましい実施形態は、図３に示すように概ね円錐状のデフレクタ４４であり、前記円錐の頂端４６が天井蒸気出口ノズル３６の方を向いている。前記開口の中心点は、前記頂端と概ね一直線上に心合わせされている。
【００２１】
他の実施形態（図示せず）では、前記デフレクタは、互いに接合された一対の傾斜したパネルの形をとることができる。
【００２２】
各実施形態において、逃げる蒸気は迂回させられる。作動時には、前記加熱炉内の加熱された原料が前記ドラムに供給され、熱分解される。該ドラム内の蒸気は前記開口に向かって上昇する。液滴および固体粒子は、前記デフレクタに当たり、再び前記ドラム内に落下する。その間、蒸気は、前記デフレクタを迂回し、前記出口から出る。
【００２３】
本発明が既存のコーク・ドラムに容易に適合できることが理解されよう。大抵の場合、前記デフレクタは、ボルトなどの固定器具によって前記天井蒸気出口ノズルから懸垂させることができる。
【００２４】
前記蒸気が前記ドラムから出る際の速度が高ければ、伴出して逃げる固体および重炭化水素液体の量が多くなることはわかっているので、本発明は、より高い品質の生成物を生成するか、またはより高い速度での動作を可能にすることができる。
【００２５】
本発明を添付の図面に関して説明したが、本明細書に示されるか、または示唆された形態とは異なる他の修正形態も本発明の趣旨および範囲内であることを理解されたい。したがって、本発明の結果として、新規の改良された半連続式コーキング・ユニットが提供されることが理解されよう。特許請求の範囲で定義される本発明の趣旨および範囲から逸脱せずに、本明細書で説明した様々な部品および要素の組合せ、動作、および配置を変更することができる。
【００２６】
したがって、本発明は、半連続式コーキング・ユニット用のコーク・ドラムであって、該コーク・ドラムは、
実質的に閉鎖された内部と、
該内部を貫通する開口を有する前記ドラムの頂部と、
前記開口に連結された天井蒸気出口ノズルと、
固体および重炭化水素液体が、前記コーク・ドラムの前記内部から前記開口を通って出ないように偏向させるデフレクタとを備えている。
【図面の簡単な説明】
【図１】本発明に適用することのできる半連続式コーキング・プロセスの概略図。
【図２】本発明によって構成されたコーク・ドラムおよびデフレクタの細部を示す部分断面側面図。
【図３】本発明の他の実施形態によるコーク・ドラムおよび円錐状デフレクタの細部を示す部分断面斜視図。
【図１】
2004503658.tif 000003
【図２】
2004503658.tif 000004
【図３】
2004503658.tif 000005
【国際公開パンフレット】
2004503658.tif 000006
2004503658.tif 000007
2004503658.tif 000008
2004503658.tif 000009
2004503658.tif 000010
2004503658.tif 000011
2004503658.tif 000012
2004503658.tif 000013
2004503658.tif 000014
2004503658.tif 000015
2004503658.tif 000016
2004503658.tif 000017
2004503658.tif 000018
2004503658.tif 000019
2004503658.tif 000020
2004503658.tif 000021
【国際公開パンフレット（コレクトバージョン）】
2004503658.tif 000022
2004503658.tif 000023
【国際調査報告】
2004503658.tif 000024
2004503658.tif 000025